(57)【要約】終端／減衰ネットワークは、衛星アンテナからケーブルを介して受信される周波数の広帯域を有するＲＦ信号に含まれている、周波数の狭帯域するＭｏＣＡチャネル信号を、セットトップボックスの入力に印加する。ネットワークは、一対の直列抵抗と、その一対の直列抵抗の間の接合端子へＴ形構成において結合される並列抵抗とを含む。直列パス・バンドパスフィルタ（Ｌ１，Ｃ２）は直列抵抗の対をバイパスし、並列バンドストップフィルタ（Ｌ２，Ｃ１）は、ＭｏＣＡチャネル信号の周波数バンドでの減衰を選択的に減らすようＭｏＣＡチャネル信号の周波数バンドで並列抵抗と減結合する。
2017524299.tif 000002
【特許請求の範囲】
【請求項１】
バンドパスフィルタの入力へ動作中に結合される終端ネットワークであって、
分圧器によって減衰されるように前記フィルタの入力へ適用される第１の無線周波数（ＲＦ）入力信号を分圧する前記分圧器を形成するよう第２の抵抗へ結合される第１の抵抗と、
前記第１のＲＦ入力信号に応答して、前記フィルタの入力で現れる第２のＲＦ入力信号の大きさを制御して、前記第１のＲＦ入力信号の所与の大きさについて、前記第１のＲＦ入力信号が第１の共振回路の共振周波数にある場合に、前記第１のＲＦ入力信号が前記共振周波数を含む周波数の範囲外にある場合に対して前記第２のＲＦ入力信号を増大させる前記第１の共振回路と
を有する終端ネットワーク。
【請求項２】
前記第１の共振回路は、前記第２の抵抗と直列に結合される並列共振回路を有する、
請求項１に記載の終端ネットワーク。
【請求項３】
前記直列に結合される並列共振回路及び前記第２の抵抗において現れる信号を前記フィルタの入力へ結合する第３の抵抗を更に有する
請求項２に記載の終端ネットワーク。
【請求項４】
前記第１の抵抗、前記第２の抵抗及び前記第３の抵抗は、Ｔ形構成において結合される、
請求項３に記載の終端ネットワーク。
【請求項５】
前記直列に結合される並列共振回路及び前記第２の抵抗において現れる前記分圧された第１のＲＦ入力信号は、該第１のＲＦ入力信号が前記第１の共振回路の共振周波数にある場合に、前記第１のＲＦ入力信号が前記共振周波数を含む周波数の前記範囲外にある場合に対して、より大きい大きさを有する、
請求項２に記載の終端ネットワーク。
【請求項６】
前記並列共振回路は、第１のインダクタと並列に結合される第１のキャパシタを有する、
請求項２に記載の終端ネットワーク。
【請求項７】
前記並列共振回路と直列に結合される第２のインダクタを更に有する
請求項６に記載の終端ネットワーク。
【請求項８】
前記第１の共振回路は、前記第１の抵抗をバイパスするように前記フィルタの入力へ結合される直列共振回路を有する、
請求項１に記載の終端ネットワーク。
【請求項９】
前記分圧された第１のＲＦ入力信号を前記フィルタの入力へ結合する第３の抵抗を更に有する
請求項８に記載の終端ネットワーク。
【請求項１０】
前記直列共振回路は、第３のインダクタと直列に結合される第２のキャパシタを有する、
請求項８に記載の終端ネットワーク。
【請求項１１】
前記第３のインダクタと並列に結合される第３のキャパシタを更に有する
請求項１０に記載の終端ネットワーク。
【請求項１２】
前記第２の抵抗と直列に結合される並列共振回路を更に有する
請求項１０に記載の終端ネットワーク。
【請求項１３】
前記並列共振回路は、第１のインダクタと並列に結合される第１のキャパシタを有する、
請求項１２に記載の終端ネットワーク。
【請求項１４】
前記並列共振回路と直列に結合される第２のインダクタを更に有する
請求項１３に記載の終端ネットワーク。
【請求項１５】
前記第１の抵抗と前記第２の抵抗との間に結合される第１の端子と、前記フィルタの入力へ結合される第２の端子とを備える第３の抵抗を更に有する
請求項１４に記載の終端ネットワーク。
【請求項１６】
前記第１の抵抗、前記第２の抵抗及び前記第３の抵抗は、Ｔ形構成を形成する、
請求項１５に記載の終端ネットワーク。
【請求項１７】
前記ＲＦ入力信号が前記第１の共振回路の共振周波数に等しい周波数にある場合に、前記フィルタの入力での当該終端ネットワークの出力インピーダンスは、実質的に非リアクティブである、
請求項１に記載の終端ネットワーク。
【請求項１８】
前記フィルタは、マルチメディア・オーバー・ケーブル・アライアンス（ＭｏＣＡ）周波数範囲を通すバンドパスフィルタを有する、
請求項１に記載の終端ネットワーク。
【請求項１９】
前記周波数の範囲は、マルチメディア・オーバー・ケーブル・アライアンス（ＭｏＣＡ）周波数範囲を有し、
前記周波数の範囲外にある周波数の上限は、少なくとも２０００ＭＨｚである、
請求項１に記載の終端ネットワーク。
【請求項２０】
バンドパスフィルタの入力へ動作中に結合される終端ネットワークであり、
無線周波数（ＲＦ）入力信号の発生源と、
前記ＲＦ入力信号を前記フィルタの入力に適用する、第２の抵抗と直列に結合された第１の抵抗と、
前記直列に結合された第１及び第２の抵抗と並列に結合される第１の共振回路と、
第２の共振回路と、
前記第２の共振回路と直列に結合される第３の抵抗と
を有し、
前記直列に結合された第２の共振回路及び前記第３の抵抗は、Ｔ形構成を形成するよう前記第１の抵抗と前記第２の抵抗との間の端子へ結合される、終端ネットワーク。
【請求項２１】
前記第１の共振回路は、直列に結合されている第１のキャパシタ及び第１のインダクタを有する、
請求項２０に記載の終端ネットワーク。
【請求項２２】
前記第１のインダクタと並列に結合される第２のキャパシタを更に有する
請求項２１に記載の終端ネットワーク。
【請求項２３】
前記第２の共振回路は、並列共振回路を有する、
請求項２０に記載の終端ネットワーク。
【発明の詳細な説明】
【技術分野】
【０００１】
本発明は、終端を形成する無線周波数（ＲＦ；radio  frequency）フィルタに関係がある。
【背景技術】
【０００２】
多くのホームエンターテイメントデバイスは、ホームネットワークにおいて他のデバイスと通信する能力を有するだけでなく、複数のプロバイダを含む複数のソースから利用可能なメディアコンテンツを受信及び／又は処理する能力も有する。ソース及びプロバイダは、制限なしに、衛星サービス、ケーブルサービス、及び無線により自由に使える地上サービスを含んでよい。サービスは、同じ又は異なった無線周波数（ＲＦ）範囲で動作してよく、同じ又は異なった送信フォーマット又はプロトコルを使用してよい。サービスを受信するデバイスは、制限なしに、セットトップボックス、ゲートウェイ、テレビ受信機、ホームコンピュータ、及び同様のものをしばしば含む。
【０００３】
ホームエンターテイメントデバイスの動作は、デバイスにおけるホームネットワーキング機能の包含によって、更に複雑である。そのようなデバイスの多くは、ケーブルのような伝送媒体をサービスプロバイダからの入来伝送システムと共有するホームネットワーキングを使用する。１つのそのような例は、９５０ＭＨｚ〜１０５０ＭＨｚの周波数スペクトルにおいてケーブルによって供給されるＲＦ信号から動作するマルチメディア・オーバー・ケーブル・アライアンス（ＭｏＣＡ；Multimedia  over  Cable  Alliance）である。周波数スペクトル９５０ＭＨｚ〜１０５０ＭＨｚは、他の信号伝送システムによって使用されていない。他の信号伝送システムの例は、１２５０〜２１５０ＭＨｚの衛星ダウンリンク周波数、１７４〜８０５ＭＨｚのテレビジョン放送、及び２．３〜２．４ＭＨｚの特定の制御周波数であってよく、これらの周波数は全て、ＭｏＣＡ  ＲＦ信号とともに同じケーブルに含まれる。
【０００４】
リターン損失は、ケーブルに含まれる信号から駆動されるフィルタを例えば含む負荷のインピーダンスがケーブルの特性インピーダンスとどれくらいうまく整合しているかの測定である。リターン損失は、対応するインターフェイスに関連した数であり、それは、インピーダンス不整合の結果としてその対応するインターフェイスで引き起こされる反射から計算される。リターン損失は、通常、デシベル（ｄＢ）において比として表現される。
【０００５】
上記のフィルタは、ＭｏＣＡバンド信号を通すが、ＭｏＣＡバンド信号とともに同じケーブルに含まれているＭｏＣＡバンドの外の周波数における信号の通過を阻止するバンドパスフィルタであってよい。ＭｏＣＡバンド信号を含む同じケーブルにおいて含まれている夫々の信号に対して有意な入力リターン損失を回避することが望ましい。理想的には、ＭｏＣＡバンド信号を含む同じケーブルに含まれている周波数スペクトル内の夫々の信号についてケーブルの特性インピーダンスと整合するケーブルへの終端、例えば、７５オームを設けることが望ましい。
【０００６】
典型的な実施は、周波数バンドを分割するよう二次、三次、又はより高次のＬＣフィルタを設計することである。７５オーム抵抗のような、対応する終端は、フィルタの夫々の出力へ結合される。しかし、それらのフィルタは、比較的多数の部分を有して複雑であり、ＭｏＣＡのようなバンドでのＲＦ信号についてだけでなく、対応するＲＦ信号の周波数バンドの夫々について、対応するフィルタを必要とする。広い周波数バンドにわたって終端抵抗を提供する“パッド（pad）”と一般に呼ばれる抵抗ネットワークを利用することもよく知られている。例えば、６ｄＢパッドは、パッドの出力端子が開放又は短絡のいずれかである極端な場合でさえ、−１２ｄＢ又はそれより良いリターン損失Ｓ１１を提供する。しかし、受信器の入力の下流でそのような抵抗パッドを利用することは、不本意に雑音指数（noise  figure）を６ｄＢ低下させる。
【０００７】
有利な特徴を実行することにおいて、６ｄＢパッドは、比較的簡単なバンドパスフィルタで補われる。それにより、例えば、ＭｏＣＡホームネットワークシステムの所望の周波数バンドは、有利なことに、減衰量がより少なく、一方、ＭｏＣＡバンドを除く周波数の範囲でのＲＦ信号は、より減衰され、抵抗パッドで終端され、改善されたインピーダンス整合が提供される。
【発明の概要】
【０００８】
バンドパスフィルタの入力へ動作中に結合される有利な終端ネットワークは、前記フィルタの入力へ適用される第１の無線周波数（ＲＦ）入力信号を分圧する分圧器を形成するよう第２の抵抗へ結合される第１の抵抗を含む。当該終端ネットワークは、前記第１のＲＦ入力信号に応答して、前記フィルタの入力で現れる第２のＲＦ入力信号の大きさを制御する第１の共振回路を更に含む。前記第２のＲＦ入力信号の大きさは、前記第１のＲＦ入力信号が第１の共振回路の共振周波数にある場合に、前記第１のＲＦ入力信号が前記共振周波数を含む周波数の範囲外にある場合に対して前記第２のＲＦ入力信号を増大させるように制御される。
【図面の簡単な説明】
【０００９】
【図１】有利な態様を具現する、バンドパスフィルタ／終端を含むホームネットワークを表す。
【図２】図１のバンドパスフィルタ／終端の第１実施形態の所望の結線図を表す。
【図３】図２のバンドパスフィルタ／終端に含まれるスタンドアローンのバンドパスフィルタの選択性又はＳパラメータＳ２１を示すグラフを表す。
【図４】図２のバンドパスフィルタ／終端に含まれるスタンドアローンのバンドパスフィルタのリターン損失又はＳパラメータＳ１１を示すグラフを表す。
【図５】図２のバンドパスフィルタ／終端の選択性又はＳパラメータＳ２１を示すグラフを表す。
【図６】図２のバンドパスフィルタ／終端のリターン損失又はＳパラメータＳ１１を示すグラフを表す。
【図７】図１のバンドパスフィルタ／終端の第２実施形態の所望の結線図を表す。
【図８】図７のバンドパスフィルタ／終端の選択性又はＳパラメータＳ２１を示すグラフを表す。
【図９】図７のバンドパスフィルタ／終端のリターン損失又はＳパラメータＳ１１を示すグラフを表す。
【発明を実施するための形態】
【００１０】
図１は、ホームネットワーク又はエンドユーザネットワークにおいてホームエンターテイメントメディアコンテンツを提供するシステム１００の実施形態のブロック図を表す。コンテンツプロバイダから発せられたメディアコンテンツは、外部ネットワーク受信デバイス１３０を通じて、更には、外部ネットワーク受信デバイス１２０を通じて、ハイブリッドカプラ又は結合器１１０へ供給される。メディアコンテンツは、コンテンツ配信のための標準の伝送プロトコル又は標準（例えば、高度テレビジョンシステムズ委員会（ＡＴＳＣ；Advanced  Television  Systems  Committee）Ａ／５３、デジタルビデオ放送（ＤＶＢ；digital  video  broadcast）−ケーブル（Cable）（ＤＶＢ−Ｃ）、ＤＶＢ−衛星（Satellite）（ＤＶＢ−Ｓ）、又はＤＶＢ−地上波（Terrestrial）（ＤＶＢ−Ｔ））のうちのいずれか１つを用いて供給されてよい。例えば、外部ネットワーク受信デバイス１２０は、衛星アンテナディッシュ２０１を介してメディアコンテンツを受信する。結合器１１０はまた、例えば７５オームの特性インピーダンスを有する無線周波数（ＲＦ）伝送線路１１０ａを介して、そして、有利な特徴を具現するバンドパスフィルタ／終端１１５と本願で呼ばれるバンドパスフィルタ及び終端ネットワークの組み合わせを介して、マルチメディア・オーバー・ケーブル・アライアンス（ＭｏＣＡ）ネットワークデバイス１４０へ接続されている。結合器１１０は、例えば、ＲＦ伝送線路１１０ｂを介して、他のデバイス（図示せず。）へ接続されてよい。
【００１１】
特に、結合器１１０は、ＭｏＣＡネットワークにおいて動作する信号とともに、ＭｏＣＡデバイス１４０のようなホーム又はユーザネットワーク内のデバイスに印加される外部ネットワーク受信デバイス１２０の出力信号１２０ａのためのルーティング配置を提供する。結合器１１０は従来型であり、様々なソースからの入力信号を、伝送線路１１０ａ及び１１０ｂの夫々における対応する結合された出力信号へと、例えば、伝送線路１１０ａにおける結合出力信号Ｖｏｕｔへと結合する能動又は受動回路素子を含んでよい。ＭｏＣＡデバイス１４０は、デバイス１３０又は１２０からのプログラムコンテンツの１つ以上を、ネットワーク上の他のＭｏＣＡデバイスによる使用のために、詳細には図示されない方法において、９５０ＭＨｚ〜１０５０ＭＨｚのＭｏＣＡ周波数スペクトルでのＭｏＣＡ出力へと変換するよう、ユーザによって制御されてよい。変換されたＭｏＣＡ信号（図示せず。）は、９５０ＭＨｚ〜１０５０ＭＨｚのＭｏＣＡ周波数スペクトルでのＲＦ信号Ｖｏｕｔａを形成するよう、結合器１１０へ返される。結果として、伝送線路１１０ａにおける結合出力信号Ｖｏｕｔは、９５０ＭＨｚ〜１０５０ＭＨｚのＭｏＣＡ周波数スペクトルでのＲＦ信号Ｖｏｕｔａを更に含む。結果として、ＲＦ信号Ｖｏｕｔは、例えば、線路１１０ｂで現れる信号（図示せず。）のような、結合器１１０の他の出力とともに、信号Ｖｏｕｔｂと集合的に呼ばれる全てのオリジナル信号、例えば、１２５０〜２１５０ＭＨｚの衛星ダウンリンク周波数、１７４〜８０５ＭＨｚのテレビジョン放送周波数、及び２．３〜２．４ＭＨｚの特定の制御周波数を更に含む。加えて、信号Ｖｏｕｔは、内部で生成されたＭｏＣＡ  ＲＦ信号Ｖｏｕｔａを更に含む。結合器１１０が適切に機能するために、結合器の及び同軸ケーブルの特性インピーダンスに近い値を持った終端インピーダンス、例えば、上記の７５オームを設けることが望ましい。
【００１２】
図２は、有利な特徴を具現する、図１のバンドパスフィルタ／終端１１５のより詳細な回路図を表す。図１及び２における同様の符号及び数字は、同様の項目又は機能を示す。図２において、バンドパスフィルタ／終端１１５に含まれる有利な終端部１１６は、図１の伝送線路１１０ａの信号搬送導体（図示せず。）へ結合されている抵抗Ｒ１の第１の側の端子３０４（本願では、バンドパスフィルタ／終端１１５の入力ポート１と呼ばれる。）を含む。伝送線路１１０ａでは、信号Ｖｏｕｔａ及びＶｏｕｔｂを含む信号Ｖｏｕｔが生成される。図２の抵抗Ｒ１は、抵抗Ｒ３を有する接合端子３０２を形成する第２の側の端子を備える。抵抗Ｒ３の第２の側の端子は、図１の伝送線路１１０ａの共通導体Ｇへ結合されている第２の端子を備えた並列共振回路３０３と直列に結合されている。並列共振回路３０３は、キャパシタＣ１と並列に結合されているインダクタＬ２を含む。このように、抵抗Ｒ３及び並列共振回路３０３は、信号Ｖｏｕｔａの周波数のＭｏＣＡバンド９５０ＭＨｚ〜１０５０ＭＨｚ内にある周波数（例えば、１０００ＭＨｚ）で共振するようチューニングされる。結果として、並列共振回路３０３は、信号Ｖｏｕｔａの周波数のＭｏＣＡバンド内の周波数で高インピーダンス又はバンドストップフィルタを形成する。結果として、抵抗Ｒ３は、信号Ｖｏｕｔａの周波数のＭｏＣＡバンド内の周波数でのバンドパスフィルタ／終端１１５の減衰に対して最小限の影響しか有さない。抵抗Ｒ２は、接合端子３０２と共通に第１の側の端子を備える。
【００１３】
直列共振回路３０６は、キャパシタＣ２と直列に結合されているインダクタＬ１を含む。直列共振回路３０６は、抵抗Ｒ２の第２の端子３０５と端子３０４との間に結合されており、直列結合されたＲ１及びＲ２と並列である。直列共振回路３０６も、信号Ｖｏｕｔａの周波数のＭｏＣＡバンド９５０ＭＨｚ〜１０５０ＭＨｚ内にある周波数（例えば、１０００ＭＨｚ）で共振するようチューニングされる。結果として、直列共振回路３０６は、直列結合された抵抗Ｒ１及びＲ２によって形成されている信号経路をバイパスするように、信号Ｖｏｕｔａの周波数のＭｏＣＡバンド９５０ＭＨｚ〜１０５０ＭＨｚ内の周波数で低インピーダンス又はバンドパスフィルタを形成する。結果として、抵抗Ｒ１及びＲ２は、信号Ｖｏｕｔａの周波数のＭｏＣＡバンド９５０ＭＨｚ〜１０５０ＭＨｚ内の周波数で最小限の減衰効果しか有さない。
【００１４】
有利なことに、直列共振回路３０６は、ＭｏＣＡ信号Ｖｏｕｔａを除く信号Ｖｏｕｔｂの周波数スペクトル内の周波数で高インピーダンスを形成する。よって、信号Ｖｏｕｔａの周波数のＭｏＣＡバンド９５０ＭＨｚ〜１０５０ＭＨｚと重なり合わない周波数スペクトル内の周波数での信号Ｖｏｕｔｂに対して、抵抗Ｒ１及びＲ２は、信号Ｖｏｕｔｂを減衰させるように端子３０４及び３０５の間で形成されるインピーダンスを支配する。有利なことに、直列共振回路３０６のバイパス効果は、信号Ｖｏｕｔｂの所望の減衰を有意に衰えさせない。
【００１５】
他方で、並列共振回路３０３は、信号Ｖｏｕｔｂの周波数スペクトル内の周波数で低インピーダンスを形成する。よって、信号Ｖｏｕｔａの周波数のＭｏＣＡバンド９５０ＭＨｚ〜１０５０ＭＨｚと重なり合わない又は該バンドを除く信号Ｖｏｕｔｂの周波数スペクトル内の周波数に対して、抵抗Ｒ１及びＲ３は、実質的に抵抗性の減衰分圧器を形成する。結果として、信号Ｖｏｕｔｂに対して、Ｔ形構成において結合されている抵抗Ｒ１、Ｒ２及びＲ３の組み合わせは、有利なことに、いわゆるＴ形減衰器（Tee  attenuator）を有効に形成する。このように、有利なことに、信号Ｖｏｕｔａは、有意に減衰されることなしに図２の端子３０５へ結合され、一方、有利なことに、端子３０５で抑制される必要がある非ＭｏＣＡ信号Ｖｏｕｔｂは、抵抗Ｒ１、Ｒ２及びＲ３の組み合わせによって減衰される。共振回路３０６及び３０３の包含は、有利なことに、９５０〜１０５０ＭＨｚの所望のＭｏＣＡバンドにおいて、抵抗Ｒ１、Ｒ２及びＲ２の組み合わせによって形成される抵抗パッドの減衰を無効にする。共振回路３０６及び３０３においてキャパシタンスに対するインダクタンスの比、すなわち、Ｌ／Ｃ比を調整することは、９５０〜１０５０ＭＨｚの所望のパスバンド特性を作り出すことができる。
【００１６】
図２のバンドパスフィルタ／終端１１５の終端部１１６の以下のコンポーネントの値は、次の通りである：
Ｒ１＝２４Ω
Ｒ２＝２４Ω
Ｒ３＝９９Ω
Ｌ１＝３６ｎＨ
Ｌ２＝８．２ｎＨ
Ｃ１＝３．３ｐＦ
Ｃ２＝０．６８ｐＦ。
【００１７】
終端部１１６の出力端子を形成する抵抗Ｒ２の端子３０５は、バンドパスフィルタＳＰ１のポート１−ＳＰ１と呼ばれる入力端子も共通に形成する。バンドパスフィルタＳＰ１は、バンドパスフィルタＳＰ１のポート２−ＳＰ１と本願で呼ばれる出力部を備える。バンドパスフィルタＳＰ１のポート２は、バンドパスフィルタ／終端１１５の出力ポートを共通に形成する。
【００１８】
バンドパスフィルタＳＰ１は、信号Ｖｏｕｔａの周波数のＭｏＣＡバンド９５０ＭＨｚ〜１０５０ＭＨｚの周波数スペクトルでの信号を、低い減衰量で通す。他方で、バンドパスフィルタＳＰ１は、信号Ｖｏｕｔａの周波数のＭｏＣＡバンド９５０ＭＨｚ〜１０５０ＭＨｚと重なり合わない信号Ｖｏｕｔｂの周波数スペクトル内の周波数での信号を阻止し又は減衰させる。そのようなフィルタの例は、ＭＵＲＡＴＡによって製造された先行技術のフィルタＬＦＢ３２１ＣＧ００Ｍ８Ｄ７９２のようなＬＴＣＣデバイスであってよい。ＬＴＣＣは、低温同時焼成セラミックス（Low  Temperature  Co-fired  Ceramics）の略称である。産業界で使用されている高純度セラミックスは、“ファインセラミックス（fine  ceramics）”とも呼ばれている。ファインセラミックスの中で、ＬＴＣＣは、電子部材として使用されるエレクトロニックセラミックスとして分類される。そのようなフィルタは、信号ＶｏｕｔａのＭｏＣＡ９５０〜１０５０ＭＨｚに対して低い減衰及び優れたインピーダンス整合を提供する。なお、バンドパスフィルタＳＰ１の入力ポート１−ＳＰ１は、一般に、信号Ｖｏｕｔｂの周波数スペクトルにわたって異なる周波数で不都合なことに有意に異なる入力インピーダンスを形成する。従来のＬＣタイプ又はＳＡＷデバイスのような他のフィルタタイプが、代わりに使用されてよい。
【００１９】
図３は、図２のスタンドアローンのバンドパスフィルタＳＰ１の選択性又はＳパラメータＳ２１を示すグラフを表す。図３のＳパラメータＳ２１は、バンドパスフィルタＳＰ１のポート１−ＳＰ１で入力される電力に対する、図２のバンドパスフィルタＳＰ１のポート２−ＳＰ１で受け取られる電力の比を表す。図３の破線３ａは、８００ＭＨｚを下回る周波数でマイナス５０デシベル（ｄＢ）よりも良い、図２のバンドパスフィルタ／終端１１５のＳパラメータＳ２１についての規格限界要件を表す。一例として、−５５ｄＢのＳパラメータＳ２１は、−５０ｄＢのＳパラメータＳ２１よりも良い。図３の破線３ｂは、ＭｏＣＡ周波数バンドでマイナス５ｄＢよりも良い、図２のバンドパスフィルタ／終端１１５のＳパラメータＳ２１についての規格限界要件を表す。一例として、−３ｄＢのＳパラメータＳ２１は、−５ｄＢのＳパラメータよりも良い。図３の破線３ｃは、１２５０ＭＨｚから２１５０ＭＨｚの間の周波数でマイナス５５ｄＢよりも良い、図２のバンドパスフィルタ／終端１１５のＳパラメータＳ２１についての規格限界要件を表す。
【００２０】
図４は、図２のスタンドアローンのバンドパスフィルタＳＰ１のリターン損失又はＳパラメータＳ１１を示すグラフを表す。図４のＳパラメータＳ１１は、ポート１−ＳＰ１で入力される電力に対する、図２のバンドパスフィルタＳＰ１のポート１−ＳＰ１から反射された電力の比を表す。図４の破線４ａは、８００ＭＨｚを下回る周波数でマイナス８ｄＢよりも良い、図２のバンドパスフィルタ／終端１１５のＳパラメータＳ１１についての規格限界要件を表す。図４の破線４ｂは、ＭｏＣＡ周波数バンドでマイナス１０ｄＢよりも良い、図２のバンドパスフィルタ／終端１１５のＳパラメータＳ１１についての規格限界要件を表す。図４の破線４ｃは、１２５０ＭＨｚから２１５０ＭＨｚの間の周波数でマイナス１０ｄＢよりも良い、図２のバンドパスフィルタ／終端１１５のＳパラメータＳ１１についての規格限界要件を表す。一例として、−１２ｄＢのＳパラメータＳ１１は、−１０ｄＢのＳパラメータＳ１１よりも良い。
【００２１】
図２のスタンドアローンのバンドパスフィルタＳＰ１は、伝送線路１１０ａとスタンドアローンのバンドパスフィルタＳＰ１との間に終端部１１６を入れることなしに図１の伝送線路１１０ａへ結合されると仮定する。この場合に、図４のグラフで示されるように、線４ａ及び４ｃの規格限界は、不利なことに、満足されない。
【００２２】
図５は、終端部１１６及びバンドパスフィルタＳＰ１の両方を含む図２のバンドパスフィルタ／終端１１５の選択性又はＳパラメータＳ２１を示すグラフを表す。図５のＳパラメータＳ２１は、図２のバンドパスフィルタ／終端１１５の端子３０４にあるポート１での入力される電力に対する、図２のバンドパスフィルタ／終端１１５のポート２で受け取られる電力を表す。図５の破線５ａ、破線５ｂ及び破線５ｃは、図３の破線３ａ、３ｂ及び３ｃと同じ規格限界要件を夫々表す。図５に図示されるように、図２のバンドパスフィルタ／終端１１５のＳ−パラメータＳ２１は、有利なことに、図３においてよりも更に良く、規格限界要件を満足する。
【００２３】
図６は、終端部１１６及びバンドパスフィルタＳＰ１の両方を含む図２のバンドパスフィルタ／終端１１５のリターン損失又はＳパラメータＳ１１を示すグラフを表す。図６のＳパラメータＳ１１は、バンドパスフィルタ／終端１１５のポート１で入力される電力に対する、図２のバンドパスフィルタ／終端１１５のポート１から反射された電力を表す。図６の破線６ａ、破線６ｂ及び破線６ｃは、図４の破線４ａ、４ｂ及び４ｃと同じ規格限界要件を夫々表す。図６に図示されるように、図２のバンドパスフィルタ／終端１１５のＳパラメータＳ１１は、有利なことに、図４においてよりも更に良く、規格限界要件を満足する。図６に図示されるように、図２のバンドパスフィルタ／終端１１５は、１２５０ＭＨｚから２１５０ＭＨｚの間の周波数の狭い範囲以外で、必要とされるインピーダンス整合を十分に満足する。
【００２４】
図７は、他の有利な特徴を具現する、図１の改善されたバンドパスフィルタ／終端１１５′の回路図を表す。図１及び２及び７における同様の符号及び数字は、図７におけるプライム符号（′）の付加を除いて、同様の項目又は機能を示す。図７のバンドパスフィルタ／終端１１５′の終端部１１６′において、キャパシタＣｆｉｘ′は、図２のフィルタ／終端１１５に対する追加を形成するように、インダクタＬ１′と並列に結合されている。キャパシタＣｆｉｘ′の包含は、９５０ＭＨｚより下で伝達関数又は伝達“ゼロ”を提供する。キャパシタＣｆｉｘ′及びＣ２′の組み合わせは、１０００ＭＨｚでインダクタＬ１′と共振する。キャパシタＣ２′のキャパシタンスに対するキャパシタＣｆｉｘ′のキャパシタンスの比は、８００ＭＨｚ以下でのインピーダンス整合を改善するよう調整され得る。また、インダクタＬｆｉｘ′は、１０００ＭＨｚより上でキャパシタＣ１′と共振するよう、インダクタＬ２′を含む並列共振回路３０３′と直列に結合されている。一方で、インダクタＬ２′及びキャパシタＣ１′は、約１０００ＭＨｚで共振する。インダクタＬｆｉｘ′の追加は、１０５０ＭＨｚより上で伝達関数又は伝達“ゼロ”を提供する。インダクタＬ２′のインダクタンスに対するインダクタＬｆｉｘ′のインダクタンスの比は、１２５０ＭＨｚ以上でのインピーダンス整合を改善するよう調整され得る。
【００２５】
図７のバンドパスフィルタ／終端１１５′の終端部１１６′のコンポーネントの値は、次の通りである：
Ｒ１′＝２４Ω
Ｒ２′＝２４Ω
Ｒ３′＝９９Ω
Ｌ１′＝１８ｎＨ
Ｌ２′＝５．６ｎＨ
Ｌｆｉｘ′＝１２ｎＨ
Ｃ１′＝４．３ｐＦ
Ｃ２′＝０．８２ｐＦ
Ｃｆｉｘ′＝０．５６ｐＦ。
【００２６】
図８は、バンドパスフィルタＳＰ１′を含む図７のバンドパスフィルタ／終端１１５′の選択性又はＳパラメータＳ２１を示すグラフを表す。図８のＳパラメータＳ２１は、図７のバンドパスフィルタ／終端１１５′の端子３０４′にあるポート１で入力される電力に対する、図７のバンドパスフィルタ／終端１１５′のポート２で受け取られる電力を表す。図８の破線８ａ、破線８ｂ及び破線８ｃは、図５の破線５ａ、５ｂ及び５ｃと同じ規格限界要件を夫々表す。図８に図示されるように、図７のバンドパスフィルタ／終端１１５′のＳパラメータＳ２１は、規格限界を十分に満足する。
【００２７】
図９は、図７のバンドパスフィルタ／終端１１５′のリターン損失又はＳパラメータＳ１１を示すグラフを表す。図９のＳパラメータＳ１１は、バンドパスフィルタ／終端１１５′のポート１で入力される電力に対する、図７のバンドパスフィルタ／終端１１５′のポート１から反射される電力を表す。図９の破線９ａ、破線９ｂ及び破線９ｃは、図６の破線６ａ、６ｂ及び６ｃと同じ規格限界要件を夫々表す。図９に図示されるように、図７のバンドパスフィルタ／終端１１５′のＳパラメータＳ１１は、有利なことに、規格限界を十分に満足する。
【図１】
2017524299.tif 000003
【図２】
2017524299.tif 000004
【図３】
2017524299.tif 000005
【図４】
2017524299.tif 000006
【図５】
2017524299.tif 000007
【図６】
2017524299.tif 000008
【図７】
2017524299.tif 000009
【図８】
2017524299.tif 000010
【図９】
2017524299.tif 000011
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
バンドパスフィルタの入力へ動作中に結合される終端ネットワークであって、
分圧器によって減衰されるように前記フィルタの入力へ適用される第１の無線周波数（ＲＦ）入力信号を分圧する前記分圧器を形成するよう第２の抵抗へ結合される第１の抵抗と、
前記第１のＲＦ入力信号に応答して、前記フィルタの入力で現れる第２のＲＦ入力信号の大きさを制御する第１の共振回路と
を有し、
前記第２のＲＦ入力信号は、前記第１のＲＦ入力信号が前記第１の共振回路の共振周波数を含む周波数の範囲外にある場合に対して、前記第１のＲＦ入力信号が前記共振周波数にある場合に、より大きい大きさを有する、終端ネットワーク。
【請求項２】
前記第１の共振回路は、前記第２の抵抗と直列に結合される並列共振回路を有する、
請求項１に記載の終端ネットワーク。
【請求項３】
前記直列に結合される並列共振回路及び前記第２の抵抗において現れる信号を前記フィルタの入力へ結合する第３の抵抗を有する
請求項２に記載の終端ネットワーク。
【請求項４】
前記第１の抵抗、前記第２の抵抗及び前記第３の抵抗は、Ｔ形構成において結合される、
請求項３に記載の終端ネットワーク。
【請求項５】
前記並列共振回路は、第１のインダクタと並列に結合される第１のキャパシタを有する、
請求項２乃至４のうちいずれか一項に記載の終端ネットワーク。
【請求項６】
前記並列共振回路と直列に結合される第２のインダクタを有する
請求項５に記載の終端ネットワーク。
【請求項７】
前記第１の共振回路は、前記第１の抵抗をバイパスするように前記フィルタの入力へ結合される直列共振回路を有する、
請求項１乃至６のうちいずれか一項に記載の終端ネットワーク。
【請求項８】
前記分圧された第１のＲＦ入力信号を前記フィルタの入力へ結合する第３の抵抗を有する
請求項１に記載の終端ネットワーク。
【請求項９】
前記直列共振回路は、第３のインダクタと直列に結合される第２のキャパシタを有する、
請求項７又は８に記載の終端ネットワーク。
【請求項１０】
前記第３のインダクタと並列に結合される第３のキャパシタを有する
請求項９に記載の終端ネットワーク。
【請求項１１】
前記フィルタは、マルチメディア・オーバー・ケーブル・アライアンス（ＭｏＣＡ）周波数範囲を通すバンドパスフィルタを有する、
請求項１乃至１０のうちいずれか一項に記載の終端ネットワーク。
【請求項１２】
前記周波数の範囲は、マルチメディア・オーバー・ケーブル・アライアンス（ＭｏＣＡ）周波数範囲を有し、
前記周波数の範囲外にある周波数の上限は、少なくとも２０００ＭＨｚである、
請求項１乃至１０のうちいずれか一項に記載の終端ネットワーク。
【請求項１３】
バンドパスフィルタを有する終端デバイスであって、
分圧器によって減衰されるように前記バンドパスフィルタの入力へ適用される第１の無線周波数（ＲＦ）入力信号を分圧する前記分圧器を形成するよう第２の抵抗へ結合される第１の抵抗と、
前記第１のＲＦ入力信号に応答して、前記フィルタの入力で現れる第２のＲＦ入力信号の大きさを制御する第１の共振回路と
を有し、
前記第２のＲＦ入力信号は、前記第１のＲＦ入力信号が前記第１の共振回路の共振周波数を含む周波数の範囲外にある場合に対して、前記第１のＲＦ入力信号が前記共振周波数にある場合に、より大きい大きさを有する、終端デバイス。
【請求項１４】
前記フィルタは、マルチメディア・オーバー・ケーブル・アライアンス（ＭｏＣＡ）周波数範囲を通すバンドパスフィルタを有する、
請求項１３に記載の終端デバイス。
【請求項１５】
前記周波数の範囲は、マルチメディア・オーバー・ケーブル・アライアンス（ＭｏＣＡ）周波数範囲を有し、
前記周波数の範囲外にある周波数の上限は、少なくとも２０００ＭＨｚである、
請求項１３又は１４に記載の終端デバイス。
【手続補正２】
【補正対象書類名】明細書
【補正対象項目名】００２７
【補正方法】変更
【補正の内容】
【００２７】
図９は、図７のバンドパスフィルタ／終端１１５′のリターン損失又はＳパラメータＳ１１を示すグラフを表す。図９のＳパラメータＳ１１は、バンドパスフィルタ／終端１１５′のポート１で入力される電力に対する、図７のバンドパスフィルタ／終端１１５′のポート１から反射される電力を表す。図９の破線９ａ、破線９ｂ及び破線９ｃは、図６の破線６ａ、６ｂ及び６ｃと同じ規格限界要件を夫々表す。図９に図示されるように、図７のバンドパスフィルタ／終端１１５′のＳパラメータＳ１１は、有利なことに、規格限界を十分に満足する。
上記の実施形態に加えて、以下の付記を開示する。
（付記１）
バンドパスフィルタの入力へ動作中に結合される終端ネットワークであって、
分圧器によって減衰されるように前記フィルタの入力へ適用される第１の無線周波数（ＲＦ）入力信号を分圧する前記分圧器を形成するよう第２の抵抗へ結合される第１の抵抗と、
前記第１のＲＦ入力信号に応答して、前記フィルタの入力で現れる第２のＲＦ入力信号の大きさを制御して、前記第１のＲＦ入力信号の所与の大きさについて、前記第１のＲＦ入力信号が第１の共振回路の共振周波数にある場合に、前記第１のＲＦ入力信号が前記共振周波数を含む周波数の範囲外にある場合に対して前記第２のＲＦ入力信号を増大させる前記第１の共振回路と
を有する終端ネットワーク。
（付記２）
前記第１の共振回路は、前記第２の抵抗と直列に結合される並列共振回路（３０３，３０３′）を有する、
付記１に記載の終端ネットワーク。
（付記３）
前記直列に結合される並列共振回路及び前記第２の抵抗において現れる信号を前記フィルタの入力へ結合する第３の抵抗を更に有する
付記２に記載の終端ネットワーク。
（付記４）
前記第１の抵抗、前記第２の抵抗及び前記第３の抵抗は、Ｔ形構成において結合される、
付記３に記載の終端ネットワーク。
（付記５）
前記直列に結合される並列共振回路及び前記第２の抵抗において現れる前記分圧された第１のＲＦ入力信号は、該第１のＲＦ入力信号が前記第１の共振回路の共振周波数にある場合に、前記第１のＲＦ入力信号が前記共振周波数を含む周波数の前記範囲外にある場合に対して、より大きい大きさを有する、
付記２に記載の終端ネットワーク。
（付記６）
前記並列共振回路は、第１のインダクタと並列に結合される第１のキャパシタを有する、
付記２に記載の終端ネットワーク。
（付記７）
前記並列共振回路と直列に結合される第２のインダクタを更に有する
付記６に記載の終端ネットワーク。
（付記８）
前記第１の共振回路は、前記第１の抵抗をバイパスするように前記フィルタの入力へ結合される直列共振回路（３０６，３０６′）を有する、
付記１に記載の終端ネットワーク。
（付記９）
前記分圧された第１のＲＦ入力信号を前記フィルタの入力へ結合する第３の抵抗を更に有する
付記８に記載の終端ネットワーク。
（付記１０）
前記直列共振回路は、第３のインダクタと直列に結合される第２のキャパシタを有する、
付記８に記載の終端ネットワーク。
（付記１１）
前記第３のインダクタと並列に結合される第３のキャパシタを更に有する
付記１０に記載の終端ネットワーク。
（付記１２）
前記第２の抵抗と直列に結合される並列共振回路を更に有する
付記１０に記載の終端ネットワーク。
（付記１３）
前記並列共振回路は、第１のインダクタと並列に結合される第１のキャパシタを有する、
付記１２に記載の終端ネットワーク。
（付記１４）
前記並列共振回路と直列に結合される第２のインダクタを更に有する
付記１３に記載の終端ネットワーク。
（付記１５）
前記第１の抵抗と前記第２の抵抗との間に結合される第１の端子と、前記フィルタの入力へ結合される第２の端子とを備える第３の抵抗を更に有する
付記１４に記載の終端ネットワーク。
（付記１６）
前記第１の抵抗、前記第２の抵抗及び前記第３の抵抗は、Ｔ形構成を形成する、
付記１５に記載の終端ネットワーク。
（付記１７）
前記ＲＦ入力信号が前記第１の共振回路の共振周波数に等しい周波数にある場合に、前記フィルタの入力での当該終端ネットワークの出力インピーダンスは、実質的に非リアクティブである、
付記１に記載の終端ネットワーク。
（付記１８）
前記フィルタは、マルチメディア・オーバー・ケーブル・アライアンス（ＭｏＣＡ）周波数範囲を通すバンドパスフィルタを有する、
付記１に記載の終端ネットワーク。
（付記１９）
前記周波数の範囲は、マルチメディア・オーバー・ケーブル・アライアンス（ＭｏＣＡ）周波数範囲を有し、
前記周波数の範囲外にある周波数の上限は、少なくとも２０００ＭＨｚである、
付記１に記載の終端ネットワーク。
（付記２０）
バンドパスフィルタの入力へ動作中に結合される終端ネットワークであり、
無線周波数（ＲＦ）入力信号の発生源と、
前記ＲＦ入力信号を前記フィルタの入力に適用する、第２の抵抗と直列に結合された第１の抵抗と、
前記直列に結合された第１及び第２の抵抗と並列に結合される第１の共振回路と、
第２の共振回路と、
前記第２の共振回路と直列に結合される第３の抵抗と
を有し、
前記直列に結合された第２の共振回路及び前記第３の抵抗は、Ｔ形構成を形成するよう前記第１の抵抗と前記第２の抵抗との間の端子へ結合される、終端ネットワーク。
（付記２１）
前記第１の共振回路は、直列に結合されている第１のキャパシタ及び第１のインダクタを有する、
付記２０に記載の終端ネットワーク。
（付記２２）
前記第１のインダクタと並列に結合される第２のキャパシタを更に有する
付記２１に記載の終端ネットワーク。
（付記２３）
前記第２の共振回路は、並列共振回路を有する、
付記２０に記載の終端ネットワーク。
【国際調査報告】
2017524299.tif 000012
2017524299.tif 000013